(57)【要約】    【課題】  引き戸を開く際のロック解除のための摘みの操作性を向上させることができ、さらに引き戸の全閉状態と開状態とで部材の位置が変化するのに伴って見栄えが悪くなることがないようにする。    【解決手段】  引き戸を全閉位置に保持するためにレール１３に設けられた切欠部２１に係合可能なロックプレート１６をロック解除位置に回動させるためにロックプレートに対して連結された操作プレート１８が引き戸の移動方向に概ね直線運動するように、操作プレートの裏面に引き戸の移動方向に案内溝４１を延設すると共に、この案内溝に嵌合する突条４２を袴部４に設ける。【選択図】    図２
2006138086.tif 000002
【特許請求の範囲】
【請求項１】
キャビネットの戸枠に設けられたレール上を走行可能な引き戸を全閉位置に保持する引き戸用ラッチ装置であって、
前記レールに設けられた切欠部に係合可能な係止爪を備え、この係止爪を前記切欠部に対して係合離脱させるために前記引き戸の袴部に回動可能に設けられたロック部材と、
前記レールの切欠部に前記係止爪を係合させる向きに前記ロック部材を弾発付勢するばね手段と、
このばね手段の付勢力に抗して前記切欠部から前記係止爪を離脱させるように前記ロック部材を回動させるために前記ロック部材に対して連結されて、摘みが前記袴部の前面側に配置された操作部材と、
この操作部材を前記引き戸の移動方向に概ね直線運動するように案内する案内手段とを有することを特徴とする引き戸用ラッチ装置。
【請求項２】
前記案内手段が、前記引き戸の移動方向に延設された案内溝と、この案内溝に嵌合可能な突条とからなり、前記操作部材及び前記袴部のいずれか一方に前記案内溝が、他方に前記突条がそれぞれ設けられたことを特徴とする請求項１に記載の引き戸用ラッチ装置。
【請求項３】
前記操作部材が、前記袴部の内部に収容された前記ロック部材に連結するために前記袴部の前壁に開設された貫通孔を常時覆うようにその前壁の表面に沿って平板状に形成されたことを特徴とする請求項１若しくは請求項２に記載の引き戸用ラッチ装置。
【請求項４】
戸枠に設けられたレール上を走行可能な引き戸を全閉位置に保持するラッチ装置を備えたキャビネットであって、
前記レールに設けられた切欠部に係合可能な係止爪を備え、この係止爪を前記切欠部に対して係合離脱させるために前記引き戸の袴部に回動可能に設けられたロック部材と、
前記レールの切欠部に前記係止爪を係合させる向きに前記ロック部材を弾発付勢するばね手段と、
このばね手段の付勢力に抗して前記切欠部から前記係止爪を離脱させるように前記ロック部材を回動させるために前記ロック部材に対して連結されて、摘みが前記袴部の前面側に配置された操作部材と、
この操作部材を前記引き戸の移動方向に概ね直線運動するように案内する案内手段とを有することを特徴とするキャビネット。
【発明の詳細な説明】
【技術分野】
【０００１】
本発明は、引き戸を全閉位置に保持する引き戸用ラッチ装置及びこれを備えたキャビネットに関し、特に３枚の引き戸を備えた三連式のキャビネットにおいて両側の引き戸を全閉位置に保持するのに好適な引き戸用ラッチ装置及びこれを備えたキャビネットに関するものである。
【背景技術】
【０００２】
三連式のキャビネットにおいては、隣り合う引き戸同士の全閉状態での相対位置を規定する係止手段により、両側の引き戸を閉じると中央の引き戸も所定の全閉位置に位置決めされるようにした構成のものがある。
【０００３】
このような構成のキャビネットにおいては、端の引き戸を勢いよく閉じた場合に、これに随伴して動作する中央の引き戸が慣性力で所定の全閉位置を越えて移動し、これに引きずられて反対側の引き戸が開いてしまうことがあり、このような不都合を避けるため、両側の引き戸を全閉位置に保持するラッチ装置を設けたものが知られている（特許文献１参照）。
【特許文献１】特開平８−１９３４４８号公報
【発明の開示】
【発明が解決しようとする課題】
【０００４】
しかるに、前記従来の構成では、ラッチ装置のロック解除のための摘みが引き戸の前面に設けられているが、引き戸を戸枠に係止するためのロック部材の動きに合わせて摘みを回動操作する構成としているため、不慣れな場合には摘みの動きが判別し難く、例えば支点側を把持したために大きな操作力が必要になるなど、操作性の面で難点があった。さらに引き戸を開いた状態では摘みが斜めに傾斜した状態となり、見栄えが悪くなるという不都合があった。また、前記従来の構成では、引き戸の袴部にロック部材を収容して、袴部の前壁に形成された貫通孔を介してロック部材に摘みを連結する構成としており、摘みの位置によっては貫通孔が外から見えるため、体裁が良くないという不都合があった。
【０００５】
本発明は、このような従来技術の問題点を解消するべく案出されたものであり、その主な目的は、引き戸を開く際のロック解除のための摘みの操作性を向上させることができ、さらに引き戸の全閉状態と開状態とで部材の位置が変化するのに伴って見栄えが悪くなることがないように構成された引き戸用ラッチ装置及びこれを備えたキャビネットを提供することにある。
【課題を解決するための手段】
【０００６】
このような課題を解決するために、本発明においては、請求項１に示すとおり、キャビネットの戸枠（１２）に設けられたレール（１３）上を走行可能な引き戸（５）を全閉位置に保持する引き戸用ラッチ装置（８）において、前記レールに設けられた切欠部（２１）に係合可能な係止爪（２２）を備え、この係止爪を前記切欠部に対して係合離脱させるために前記引き戸の袴部（４）に回動可能に設けられたロック部材（１６）と、前記レールの切欠部に前記係止爪を係合させる向きに前記ロック部材を弾発付勢するばね手段（１７）と、このばね手段の付勢力に抗して前記切欠部から前記係止爪を離脱させるように前記ロック部材を回動させるために前記ロック部材に対して連結されて、摘み（３１）が前記袴部の前面側に配置された操作部材（１８）と、この操作部材を前記引き戸の移動方向に概ね直線運動するように案内する案内手段とを有するものとした。
【０００７】
これによると、引き戸を全閉位置に保持するロック状態が、摘みを横向きに直線移動させるというわかりやすい操作で解除され、しかも摘みをどのように把持しても操作力に大きな違いはなく、操作性を向上させることができる。さらに操作部材が横向きに移動するのみで摘み自体の姿勢に変化がないため、例えば摘みが真直な縦向きの形状、例えば縦方向に延設された板状突起であれば、ロック状態とロック解除状態との双方で摘みが縦向きのままとなり、体裁が良くなる。
【０００８】
さらに請求項２に示すとおり、前記案内手段が、前記引き戸の移動方向に延設された案内溝（４１）と、この案内溝に嵌合可能な突条（４２）とからなり、前記操作部材及び前記袴部のいずれか一方に前記案内溝が、他方に前記突条がそれぞれ設けられた構成とすることができる。これによると、操作部材の直線動作を簡単な構成で円滑に且つ確実に行わせることができる。
【０００９】
この場合、ロック部材と操作部材との互いの連結部に所要の遊びを設定して、案内手段により縦方向の変位を拘束された操作部材側の連結部（例えば連結ボス）に対して、ロック部材の回動に伴うロック部材側の連結部（例えば連結孔）の縦方向の変位を許容するものとすると良く、これによりロック部材及び操作部材の円滑な動作を確保することができる。
【００１０】
なお、本発明における案内手段は、案内溝と突条との組み合わせによるものの他、案内溝と複数の突起との組み合わせなど、種々の形態のものが可能である。
【００１１】
さらに請求項３に示すとおり、前記操作部材が、前記袴部の内部に収容された前記ロック部材に連結するために前記袴部の前壁（２５）に開設された貫通孔（３３）を常時覆うようにその前壁の表面に沿って平板状に形成された構成とすることができる。これによると、袴部の前壁に開設された貫通孔が外から見えなくなるため、体裁が良くなる。
【００１２】
また本発明においては、請求項４に示すとおり、戸枠に設けられたレール上を走行可能な引き戸を全閉位置に保持するラッチ装置を備えたキャビネットにおいて、前記レールに設けられた切欠部に係合可能な係止爪を備え、この係止爪を前記切欠部に対して係合離脱させるために前記引き戸の袴部に回動可能に設けられたロック部材と、前記レールの切欠部に前記係止爪を係合させる向きに前記ロック部材を弾発付勢するばね手段と、このばね手段の付勢力に抗して前記切欠部から前記係止爪を離脱させるように前記ロック部材を回動させるために前記ロック部材に対して連結されて、摘みが前記袴部の前面側に配置された操作部材と、この操作部材を前記引き戸の移動方向に概ね直線運動するように案内する案内手段とを有するものとした。
【００１３】
これによると、引き戸を全閉位置に保持するロック状態が、摘みを横向きに直線移動させるというわかりやすい操作で解除され、しかも摘みをどのように把持しても操作力に大きな違いはなく、操作性を向上させることができる。さらに操作部材が横向きに移動するのみで摘み自体の姿勢に変化がないため、例えば摘みが真直な縦向きの形状、例えば縦方向に延設された板状突起であれば、ロック状態とロック解除状態との双方で摘みが縦向きのままとなり、体裁が良くなる。
【発明の効果】
【００１４】
このように本発明によれば、引き戸を開く際のロック解除操作が摘みを横向きに直線移動させるというわかりやすい操作となり、しかも把持位置で操作力が大きく変化することもなく、摘みの操作性を向上させる上で大きな効果が得られる。さらに操作部材が横向きに移動するのみで摘み自体の姿勢に変化がないため、見栄えを良くする上で大きな効果を奏するものである。
【発明を実施するための最良の形態】
【００１５】
以下、本発明の実施の形態を、図面を参照しながら説明する。
【００１６】
図１は、本発明によるキャビネットの全体を示す斜視図である。このキャビネットは、本体１の前面側に、ガラス板２に上下の框部３・４を装着してなる３枚の引き戸５・６・７を備えた三連式のものであり、両側の引き戸５・７には、下側の框部（袴部）４に引き戸５・７をそれぞれ全閉位置に保持するラッチ装置８・９が設けられる。なお、以下には、右側の引き戸５のラッチ装置８について詳しく説明するが、左側の引き戸７のラッチ装置９も、これと左右対称で同一の構造を有している。
【００１７】
図２・図３・図４は、図１に示したキャビネットの要部を示している。引き戸５の下側の框部（袴部）４には、キャビネット本体１の下側の横枠（戸枠）１２に固定されたレール１３上を転動可能な戸車１４が複数設けられており、これにより引き戸５がレール１３上を走行可能となっている。他の引き戸６・７も同様に、下側の框部４に戸車を備えており、各々に対応するレール上を走行可能となっている。
【００１８】
引き戸５の下側の框部（袴部）４に設けられるラッチ装置８は、図２・図３・図４に示すように、ロックプレート（ロック部材）１６、ばね（ばね手段）１７、及び操作プレート（操作部材）１８からなっている。框部（袴部）４、ロックプレート１６及び操作プレート１８は、合成樹脂材料の射出成形によりそれぞれ形成され、ばね１７は、金属製の捩りコイルばねからなっている。
【００１９】
ロックプレート１６は、図４に示すように、レール１３の端末に設けられた切欠部２１に係合可能な係止爪２２を備え、この係止爪２２を切欠部２１に対して係合離脱させるために、框部（袴部）４に設けられた支軸２３回りに回動可能となっている。このロックプレート１６は、図３に示すように、框部（袴部）４の前壁２５と後壁２６との間に挟み込まれるようにして框部（袴部）４の内部に収容されている。
【００２０】
図４に示すように、ばね１７は、支軸２３回りに回動可能なロックプレート１６を、係止爪２２がレール１３の切欠部２１に突入する向きに常時弾発付勢しており、引き戸５の全閉状態では、図４に実線で示すように、ロックプレート１６が係止爪２２を切欠部に突入させたロック位置となり、引き戸５の開動作が規制される。引き戸５の開状態では、係止爪２２がレール１３上に乗り上げてレール１３の上面を摺動し、引き戸５を円滑に移動させることができる。そして引き戸５を開いた状態から閉じて全閉位置とすると、レール１３の切欠部２１に係止爪２２が整合したところで切欠部２１に係止爪２２が突入して、引き戸５の移動が禁止される状態になる。
【００２１】
図２・図３に示すように、操作プレート１８は、框部（袴部）４の前面側に配置されており、摘み３１が平板状部分３０から手前側に板状に突出した状態で縦方向に延設されている。操作プレート１８の裏面には、ロックプレート１６に連結するための連結ボス３２が突設されており、この連結ボス３２は、框部（袴部）４の前壁２５に開設された貫通孔３３を通ってロックプレート６の連結孔３４に嵌着されるようになっており、これにより操作プレート１８とロックプレート１６とが連結ボス３２及び連結孔３４の中心線回りに相対回転可能に連結される。
【００２２】
操作プレート１８にはロックプレート１６を介してばね１７の付勢力が作用し、図２に示すように、操作プレート１８の摘み３１を把持してばね１７の付勢力に抗して操作プレート１８を矢印Ａで示す向きに押圧操作すると、ロックプレート１６が矢印Ｂで示す向きに回動し、図４に想像線で示すように、ロックプレート１６が係止爪２２をレール１３の切欠部２１から離脱させたロック解除位置となり、これによりロックプレート１６の係止状態が解除されて引き戸５を開くことができる。
【００２３】
また操作プレート１８は、図２・図３に示すように、框部（袴部）４の前壁に開設された貫通孔３３を常時覆うように、框部（袴部）４の表面に沿って平板状に形成されており、ロックプレート１６の解除のために操作プレート１８を動かしても、貫通孔３３が露出することがなく、体裁が良いものとなる。
【００２４】
図５は、図２・図３・図４に示した引き戸の框部と操作プレートとを分解して示す斜視図である。操作プレート１８の裏面には、引き戸の移動方向である横向きに真直な案内溝４１が延設されており、引き戸の框部（袴部）４の表面には、操作プレート１８の案内溝４１に嵌合可能な横向きに真直な突条４２が設けられており、図２・図３に示すように、組み付け状態で操作プレート１８の案内溝４１と框部（袴部）４の突条４２とが互いに嵌合することで、引き戸５を開く横向きに直線運動するように操作プレート１８の動きが規制される。
【００２５】
ここで、操作プレート１８の連結ボス３２とロックプレート１６の連結孔３４との間には所要の遊隙が確保されている。より具体的には、連結ボス３２の先端拡径部３７の通過を弾性変形により許容するために連結孔３４の内周に形成された弾発係止片３６の内端により規定される内径が、連結ボス３２の軸部３８の外径より僅かに大きく設定されている。このため、案内溝４１と突条４２との嵌合により框部（袴部）４に対して縦方向の変位を拘束された操作プレート１８の連結ボス３２に対して、ロックプレート１６の回動に伴う連結孔３４の縦方向の変位が許容され、操作プレート１８及びロックプレート１６を円滑に動作させることができる。
【産業上の利用可能性】
【００２６】
本発明にかかる引き戸用ラッチ装置は、無用な引き戸の開動作を避けるために引き戸を全閉位置に保持する用途に有用である。また、本発明にかかるキャビネットは、前記のように３枚の引き戸を備えた三連式のものが好適であるが、これとは異なる枚数の引き戸を備えたキャビネットとしても有用である。
【図面の簡単な説明】
【００２７】
【図１】本発明によるキャビネットの全体を示す斜視図。
【図２】図１に示したキャビネットの要部を示す正面図。
【図３】図２におけるIII−III線に沿う断面図。
【図４】図３におけるIV−IV線に沿う断面図。
【図５】図２・図３・図４に示した引き戸の框部と操作プレートとを分解して示す斜視図。
【符号の説明】
【００２８】
４  框部（袴部）
５・６・７  引き戸
６  ロックプレート
８・９  ラッチ装置
１２  横枠（戸枠）
１３  レール
１６  ロックプレート（ロック部材）
１７  ばね
１８  操作プレート（操作部材）
２１  切欠部
２２  係止爪
２５  前壁
３２  連結ボス
３３  貫通孔
３４  連結孔
４１  案内溝
４２  突条
【図１】
2006138086.tif 000003
【図２】
2006138086.tif 000004
【図３】
2006138086.tif 000005
【図４】
2006138086.tif 000006
【図５】
2006138086.tif 000007